(57)【要約】  【課題】  商品陳列棚２０１の前端部からの突出量を極力抑え、特にＰＯＰ表示保持具を装着した場合、ＰＯＰ表示保持具の表示部の視認性に悪影響しない商品陳列棚装着用アタッチメントを提供すること。  【解決手段】  板状物を、前方にやや凸状となるように、又はく字形状断面となるようにした扁平状本体部１１と、扁平状本体部１１の上方側から後方に屈曲させ、下方が開口した上部装着部１２を備える表示具本体部１と、表示本体部１の前方に位置する商品陳列部３と、扁平状本体部１１の下方側から後方にカール状となるように屈曲させた下部装着部１３と、表示具本体部１と商品陳列部３を接続する連結部材２を備える商品陳列棚装着用アタッチメント１０。【選択図】      図１
2006255048.tif 000002
【特許請求の範囲】
【請求項１】
板状物を、前方にやや凸状となるように、又はく字形状断面となるようにした扁平状本体部と、該扁平状本体部の上方側から後方に屈曲させ、下方が開口した上部装着部を備える表示具本体部と、
該表示本体部の前方に位置する商品陳列又は情報表示を行う機能部と、
を備えることを特徴とする商品陳列棚装着用アタッチメント。
【請求項２】
該表示具本体部と該機能部を接続する連結部材を更に備えることを特徴とする請求項１記載の商品陳列棚装着用アタッチメント。
【請求項３】
該扁平状本体部の下方側から後方に屈曲し、商品陳列棚の何れかの部材に当接又は嵌合する下部装着部を更に備えることを特徴とする請求項１又は２記載の商品陳列棚装着用アタッチメント。
【請求項４】
該下部装着部は、カール状断面であって、商品陳列棚の何れかの部材に対して、バネ付勢により押接するものであることを特徴とする請求項３記載の商品陳列棚装着用アタッチメント。
【請求項５】
商品陳列棚のＰＯＳレールに装着されるものであって、少なくとも該表示具本体部の上部装着部を該ＰＯＳレールの上方係合部の上から引っ掛けて装着することを特徴とする請求項１〜４のいずれか１項に記載の商品陳列棚装着用アタッチメント。
【請求項６】
板状物を、略直角に屈曲させて略く字形状断面となるようにした本体部と、該本体部の前方側から内側に屈曲させ、下方が開口した前方装着部と、該本体部の後方側から内側に屈曲させた後方装着部を備える表示具本体部と、
該表示本体部の前方に位置する商品陳列又は情報表示を行う機能部と、
を備えることを特徴とする商品陳列棚装着用アタッチメント。
【請求項７】
商品陳列棚に装着されるものであって、該表示具本体部の前方装着部を該ＰＯＳレールの下方係合部の上から引っ掛けて装着し、後方装着部を商品陳列棚の前方の裏部材に係止させることを特徴とする請求項６に記載の商品陳列棚装着用アタッチメント。
【請求項８】
該機能部の商品陳列はフックにより行い、該機能部の情報表示はバインダー、カードフレーム又はクリップにより行うことを特徴とする請求項１〜７のいずれか１項に記載の商品陳列棚装着用アタッチメント。
【請求項９】
該連結部材は少なくとも水平部材を有するアーム部材であって、該水平部材の上下方向の位置が、商品陳列棚に装着した状態において、該表示具本体部の下端より下方にあることを特徴とする請求項１〜８のいずれか１項に記載の商品陳列棚装着用アタッチメント。
【発明の詳細な説明】
【技術分野】
【０００１】
本発明は、スーパーや百貨店等において、商品陳列棚の前端部に装着される商品を陳列したり、あるいは商品の情報を表示する機能部を有するアタッチメント（装着具）に関するものである。
【背景技術】
【０００２】
従来、スーパーや百貨店等において、商品陳列棚の商品の種類や価格等の情報を表示する情報表示具としては、例えば図１１に示すカテゴリーバインダーと称される表示具がある。この表示具１００は、商品陳列棚２０１の前端にあるＰＯＳレール２０２に装着されるものであって、ＰＯＳレール２０２の内側から外側へ突っ張るように嵌合する嵌合部１０１と、不図示の商品情報表示板を支持するバインダー部１０３と、嵌合部１０１とバインダー部１０３を連結し、バインダー部１０３を回動自在に支持する連結部１０２とからなる。
【０００３】
この表示具１００は、嵌合部１０１が内側から外側へバネ付勢するものであるため、嵌合部１０１の形状は、コ字形状断面とならざるを得ない。このため、表示具１００の嵌合部１０１は、商品陳列棚２０１の先端２０３から前方へｍ寸法分、突出した形状となる。
【発明の開示】
【発明が解決しようとする課題】
【０００４】
しかしながら、商品陳列棚２０１の前端にあるＰＯＳレール２０２には、通常、ＰＯＳレール２０２と商品陳列棚２０１の先端２０３の間にある係合溝２０４にＰＯＰ表示保持具３００を装着することが多い。ＰＯＰ表示保持具３００は、係合溝２０４に係合する支持本体部３０３と、上下寸法を大きく採った上方にカード挿入口３０４を有するケース状の表示部３０１と、支持本体部３０３と表示部３０１を接続する可撓性部材からなる連結部３０２を備える。この場合、ＰＯＳレール２０２に表示具１００を装着した商品陳列棚２０１の係合溝２０４にＰＯＰ表示保持具３００を装着した場合、ケース状の表示部３０１はバインダー部１０３の上方に乗り上げた状態となる（図１２）。これでは、ＰＯＰ表示保持具３００の表示部３０１の表示面が上を向いてしまうため、視認性が悪くなるという問題がある。
【０００５】
従って、本発明の目的は、商品陳列棚２０１の前端部からの突出量を極力抑え、特にＰＯＰ表示保持具を装着した場合、ＰＯＰ表示保持具の表示部の視認性に悪影響しない商品陳列棚装着用アタッチメントを提供することにある。
【課題を解決するための手段】
【０００６】
かかる実情において、本発明者は鋭意検討を行った結果、板状物を、前方にやや凸状断面となるように、又はく字形状断面となるようにした扁平状本体部と、該扁平状本体部の上方側から後方に屈曲させ、下方が開口した上部装着部を備える表示具本体部を有する表示具とするか、あるいは板状物を、略直角に屈曲させて略く字形状断面となるようにした本体部と、該本体部の前方側から内側に屈曲させ、下方が開口した前方装着部と、該本体部の後方側から内側に屈曲させた後方装着部を備える表示具本体部を有する表示具であれば、商品陳列棚の前端部からの突出量を極力抑え、特にＰＯＰ表示保持具を装着した場合、ＰＯＰ表示保持具の表示部の視認性に悪影響しないことなどを見出し、本発明を完成するに至った。
【０００７】
すなわち、本発明は、板状物を、前方にやや凸状となるように、又はく字形状断面となるようにした扁平状本体部と、該扁平状本体部の上方側から後方に屈曲させ、下方が開口した上部装着部を備える表示具本体部と、該表示本体部の前方に位置する商品陳列又は情報表示を行う機能部と、を備える商品陳列棚装着用アタッチメントを提供するものである。
【０００８】
また、本発明は、板状物を、略直角に屈曲させて略く字形状断面となるようにした本体部と、該本体部の前方側から内側に屈曲させ、下方が開口した前方装着部と、該本体部の後方側から内側に屈曲させた後方装着部を備える表示具本体部と、該表示本体部の前方に位置する商品陳列又は情報表示を行う機能部と、を備える商品陳列棚装着用アタッチメントを提供するものである。
【発明の効果】
【０００９】
本発明の商品陳列棚装着用アタッチメントによれば、簡易な構造でありながら装着が容易で確実であり、商品陳列棚の前端部からの突出量を極力抑えることができる。特にＰＯＰ表示保持具を装着した場合、ＰＯＰ表示保持具の表示部の視認性に悪影響しない。
【発明を実施するための最良の形態】
【００１０】
本発明の実施の形態における商品陳列棚装着用アタッチメントを図１〜図６を参照して説明する。図１は本例の商品陳列棚装着用アタッチメントの斜視図、図２は本例の商品陳列棚装着用アタッチメントの側面図、図３は本例の商品陳列棚装着用アタッチメントを商品陳列棚に装着した状態の斜視図、図４は本例の商品陳列棚装着用アタッチメントを商品陳列棚に装着する方法を説明する図、図５は本例の商品陳列棚装着用アタッチメントをＰＯＰ表示保持具と共に、商品陳列棚に装着した状態を側面から見た図をそれぞれ示す。なお、図４及び図５は機能部の記載を簡略記載とした。また、本明細書において、前方とは、装着状態における、顧客側、すなわち機能部側を言い、後方とはその逆方向を言う。
【００１１】
商品陳列棚装着用アタッチメント（以下、単に「アタッチメント」とも言う）１０は、表示具本体部１と、表示本体部１の前方に位置するフック形状の商品陳列部（機能部）３と、表示具本体部１と商品陳列部３を接続する連結部材２を備える。なお、アタッチメント１０においては、連結部材２を省略して、表示具本体部１に直接、機能部３が付設されていてもよい。
【００１２】
表示具本体部１は、板状物を、前方にやや凸状のく字形状断面となるように屈曲させた扁平状本体部１１と、扁平状本体部１１の上方側から後方に丸み断面となるように屈曲させ、下方１２１が開口した上部装着部１２と、扁平状本体部１１の下方側から後方に向けて内巻きのカール状断面となるように屈曲させた下部装着部１３を備える。なお、表示具本体部１の材質としては、特に制限されず、金属製又はプラスティック製等が挙げられる。
【００１３】
表示具本体部１の本体部を前方にやや突状の扁平状とすることにより、商品陳列棚の前端部２０３からの突出量ｎを極力抑えると共に、表示具本体部１を商品陳列棚２０１に装着する際、板バネの作用により装着のし易さと装着後の固定安定性を高めている。また、本例では上部装着部１２の丸み形状及び上部装着部１２に連続する扁平状本体部１１の上方部材１１１の前方下り傾斜はＰＯＳレール２０２の上方係合部２０４の丸み形状に対応させたものである。また、下部装着部１３のカール形状は、扁平状本体部１１の下方部材１１２の下端から後方へ屈曲し、更に内巻きで前方に丸み形状となるようにし、且つ前方下り傾斜となるように折り返し、若干の隙間を残したものである。これにより、カール形状の折り返し部がバネ付勢を持つようになり、強く安定した装着が可能となる。また、下部装着部１３の上部装着部１２に対する設置位置は、図４に示すように、ＰＯＳレール２０２の上下幅寸法に対応した寸法である。
【００１４】
アタッチメント１０において、扁平状本体部１１とアーム部材２の接続は、アーム部材２の後方端に接続された連結部材１６が、扁平状本体部１１の上方部材の裏側にビス１５により固定されるものである。このため、扁平状本体部１１の下方部材１１２には、連結部材１６が通る開口１４が形成されている。
【００１５】
アーム状の連結部材２は丸棒部材であって、前方側及び後方側がいずれも垂直部材２２、２２であり、これら垂直部材２２、２２の下端部を水平部材２１が接続して連続形状としている。連結部材２の水平部材２１の上下方向の位置は、アタッチメント１０を商品陳列棚２０１に装着した状態において、表示具本体部１の下方端より下方にある。これにより、表示具本体部１の前方が広く開き、ＰＯＳ表示保持具３００の表示部３０１の上下寸法を大きくとっても視認性を妨げることはない。機能部である商品陳列部３は、丸棒部材で作成されたフック形状であり、横長の四角形状の上方の中央部が欠落した形状である。これにより、商品を吊るし形態で陳列することができる。
【００１６】
アタッチメント１０が取り付けられる商品陳列棚のＰＯＳレール２０２は、一般的に広く使用されている形状であり、商品陳列棚の前端に固定される垂直部材２０６と、垂直部材２０６の上端から前方へ丸み状に屈曲した上方係合部２０４と、垂直部材２０６の下端から前方へ下り傾斜に屈曲し、更に上方に屈曲した下方係合部２０５からなる。
【００１７】
アタッチメント１０は、上記実施の形態例に限定されず、種々の変形例をとることができる。例えば扁平状本体部１１の形状は、上記く字形状断面の他、前方にやや突状の滑らかな曲面状であってもよいし、く字形状の上方部材と下方部材の上下寸法比率は適宜決定したものが使用できる。また、下部装着部１３は後述するように、省略したり、種々の装着形態をとることができる。また、連結部材２は省略でき、また、連結部材２を使用する場合、その形状としては、アーム状の他、図９に示すような長さの無い幅広部材であってもよい。また、アーム状部材の場合、水平部材のない、曲がり部材であってもよく、また断面形態としては、円形断面の他、矩形状断面や楕円状断面、不定形断面等の断面形態が使用できる。扁平状本体部１１との接続形態も特に制限はない。また、機能部３は、上記商品陳列部として使用する以外に、商品の情報を表示する情報表示部として使用してもよい。情報表示部としては、バインダー、カードフレーム又はクリップなどが挙げられ、種々の形態のものが使用できる。なお、図４から図８における機能部３は、簡略化のため、矩形断面形状３ａで示した。
【００１８】
次に、アタッチメント１０を商品陳列棚のＰＯＳレール２０２に取り付ける方法の一例を図４及び図５を参照して説明する。先ず、アタッチメント１０の上方装着部１２をＰＯＳレール２０２の上方係合部２０４の上から引っ掛けて装着する。なお、図４は、アタッチメント１０を外力を加えることなく、商品陳列棚のＰＯＳレール２０２にそっと乗せた状態を示すものであり、下部装着部１３のカール部の先端とＰＯＳレール２０２の下方係合部２０５が当接した状態となっている。次に、扁平状本体部１１を扁平状本体部１１のバネ力に抗してＰＯＳレール２０２側に押し込むと、下部装着部１３のカール部は外側に開き、ＰＯＳレール２０２に嵌合し、下部装着部１３のカール部の先端傾斜部がＰＯＳレール２０２の下方係合部２０５の背面を押圧するようになる（図５）。アタッチメント１０によれば、簡易な構造でありながら装着が容易で、強固な固定ができる。
【００１９】
図５は、商品陳列棚のＰＯＳレール２０２にアタッチメント１０及びＰＯＰ表示保持具３００を装着した状態を示す図である。アタッチメント１０は、商品陳列棚２０１の前端からの突出長さが短く、また、アタッチメント１０の前方が広く開いているため、ＰＯＰ表示保持具３００の表示部３０１の表示の障害となるものがなく、ＰＯＰ表示保持具３００の表示部３０１の視認性を妨げることはない。   
【００２０】
次に、アタッチメント１０の変形例を図６〜図１０を参照して説明する。アタッチメント１０の変形例において、図１〜図５と同一構成要素には同一符号を付して、その説明を省略し、異なる点について主に説明する。すなわち、図６に示すアタッチメント１０ａは、扁平状本体部１１の下部装着部１３を省略したものである。そして、アタッチメント１０ａの固定は、扁平状本体部１１の上方装着部１２がＰＯＳレール２０２の上方係合部２０５に嵌合し、扁平状本体部１１の下方部材１１２の裏面がＰＯＳレール２０２の下方係合部２０５の前端部に当接することにより行われる。アタッチメント１０ａによれば、設置安定性が若干犠牲となるものの、構造はより簡略化し低コストのものが得られる。
【００２１】
図７に示すアタッチメント１０ｂは、図１の扁平状本体部１１の下部装着部１３の形態を変更したものである。すなわち、扁平状本体部１１の下部装着部１３ａは、カール状部をより後方側になるようにした点にある。これにより、アタッチメント１０ｂをＰＯＳレール２０２に装着した場合、下部装着部１３ａのカール状部は商品陳列棚２０１の裏側係り部２０６に押接することになる。アタッチメント１０ｂによれば、アタッチメント１０と同様の効果を奏する。
【００２２】
図８に示すアタッチメント１０ｃは、図１の扁平状本体部１１の下部装着部１３の形態を変更したものである。すなわち、扁平状本体部１１の下部装着部１３ｂは、扁平状本体部１１の下方部材１１２を下端から後方へ直角に屈曲し後方へ延出させ、十分な長さを取った後、上方へ直角に屈曲させ、商品陳列棚の天板に当接する部分で更に後方へ直角に屈曲させたものである。これにより、アタッチメント１０ｃをＰＯＳレール２０２に装着した場合、下部装着部１３ｂのカール状部は商品陳列棚２０１の天板の裏側２０７に押接することになる。アタッチメント１０ｃによれば、アタッチメント１０と同様の効果を奏する。
【００２３】
図９に示すアタッチメント１０ｄは、図１の扁平状本体部、上方装着部、下部装着部及び連結部のアーム部材をそれぞれ変更したものである。すなわち、アタッチメント１０ｄは、板状物の前方部材１１１ａを後方部材１１２ａよりやや長めにして直角に屈曲させ、く字断面にして、前方部材１１１ａが水平部材、後方部材１１２ａが垂直部材となるようにした本体部１１ａと、該本体部１１ａの前端を内側に屈曲させ、下方を開口させた上部装着部１２ａと、該本体部１１ａの後方部材１１２ａ（垂直部材）の上端から内側に鋭角に屈曲させた下部装着部１３ｂを備える。また、アーム部材２ａは、本体部１１ａの前方部材１１１ａに固定し、前方部材１１２ａに沿って前方へ延出させたものである。アタッチメント１０ｄをＰＯＳレール２０２に装着するには、図１０に示すように、アタッチメント１０ｄの前方装着部１２ａをＰＯＳレール２０２の下方係合部２０５の上から引っ掛けて係合させ、後方装着部１３ａを商品陳列棚２０１の前面の裏側折り返し部材２０６に係合させる。また、アタッチメント１０ｄをＰＯＳレール２０２から外す場合、前方装着部１２ａおよび後方装着部１３ａをそれぞれ手で外せばよい。アタッチメント１０ｄによれば、ＰＯＳレール２０２の前方には何も無く、大きなスペースが形成される。このため、アタッチメント１０と同様の効果を奏する。
【図面の簡単な説明】
【００２４】
【図１】本実施の形態例の商品陳列棚装着用アタッチメントの斜視図である。
【図２】本実施の形態例の商品陳列棚装着用アタッチメントの側面図である。
【図３】本実施の形態例の商品陳列棚装着用アタッチメントを商品陳列棚に装着した状態の斜視図である。
【図４】本実施の形態例の商品陳列棚装着用アタッチメントを商品陳列棚に装着する方法を説明する図である。
【図５】本実施の形態例の商品陳列棚装着用アタッチメントをＰＯＰ表示保持具と共に、商品陳列棚に装着した状態を側面から見た図である。
【図６】本実施の形態の変形例の商品陳列棚装着用アタッチメントの側面図である。
【図７】本実施の形態の他の変形例の商品陳列棚装着用アタッチメントの側面図である。
【図８】本実施の形態の他の変形例の商品陳列棚装着用アタッチメントの側面図である。
【図９】本実施の形態の他の変形例の商品陳列棚装着用アタッチメントの側面図である。
【図１０】図９の商品陳列棚装着用アタッチメントのＰＯＳレールへの装着方法を説明する図である。
【図１１】従来の商品陳列棚装着用アタッチメントの側面図である。
【図１２】図９の商品陳列棚装着用アタッチメントであって、ＰＯＰ表示保持具と共に、商品陳列棚に装着した状態を側面から見た図である。
【符号の説明】
【００２５】
１      表示具本体部
２、２ａ      連結部材
３、３ａ      機能部（商品陳列部）
１０、１０ａ〜１０ｄ    商品陳列棚装着用アタッチメント
１１            扁平状本体部
１１ａ          本体部
１２            上部装着部
１２ａ          前方装着部
１３            下部装着部
１３ａ          後方装着部
２０１  商品陳列棚
２０２  ＰＯＳレール
２０４  上方係合部
２０５  下方係合部
【図１】
2006255048.tif 000003
【図２】
2006255048.tif 000004
【図３】
2006255048.tif 000005
【図４】
2006255048.tif 000006
【図５】
2006255048.tif 000007
【図６】
2006255048.tif 000008
【図７】
2006255048.tif 000009
【図８】
2006255048.tif 000010
【図９】
2006255048.tif 000011
【図１０】
2006255048.tif 000012
【図１１】
2006255048.tif 000013
【図１２】
2006255048.tif 000014